(57)【特許請求の範囲】
【請求項１】
磁気回路に結合されたフレームと、このフレームの外周部に結合されたコーン振動板と、このコーン振動板に結合されるとともに、その一部が前記磁気回路の磁気ギャップに配置されたボイスコイルと、前記ボイスコイルに一端が結合され、他端側の径が結合部より大きい円筒部と、前記円筒部の上端を覆うドーム部とからなり、前記円筒部の中心軸と前記ボイスコイルの中心軸が５°以上傾斜してなるスピーカ。
【請求項２】
円筒部とドーム部に囲まれた空間に吸音材を設けてなる請求項１記載のスピーカ。
【請求項３】
円筒部とドーム部、及びそれらに含まれる部分の合計質量がコーン振動板の有効質量に対し、その差を４０％以下とした請求項１または２記載のスピーカ。
【発明の詳細な説明】
【技術分野】
【０００１】
本発明は各種音響機器に使用されるスピーカに関するものであり、詳細にはスピーカの特性、音質を改善するものである。
【背景技術】
【０００２】
従来のスピーカで代表的なものに、シングルコーンスピーカがある。このスピーカの例を図３に示す。ここで、２１はフレーム、２２は磁気回路、２３はトッププレート、２４はマグネット、２５はヨーク、２６はボイスコイル、２７はダンパー、２８はコーン振動板、２９はダストキャップである。
【０００３】
なお、本出願の発明に関連する先行技術文献情報としては、例えば特許文献１および特許文献２が知られている。
【特許文献１】実開昭６３−５２３７５号公報
【特許文献２】欧州特許出願公開第１７７１０３５号明細書
【発明の開示】
【発明が解決しようとする課題】
【０００４】
このようなスピーカでは、振動板内周側の音と外周側の音で、深さの違いによる位相差が発生する。これは、深いコーン振動板ほど影響が大きく、周波数特性が良くても音質の劣化につながることが多い。図４はこの対策の従来例で、トッププレート２３の上端にディフューザー３０を設け、この反射と回折により振動板内周側の音の位相を外周側に近づけたものである。しかし、図４ではダストキャップが無いため、振動面積減少による音圧低下や、ボイスコイル２６の上端が密閉されないことによる低域の制動低下、さらには振幅によってコーン振動板２８とディフューザー３０の相対位置が変化し、位相補正が変調されるといった課題もあった。なお、図５のように、サブコーン３１をボイスコイル２６の上端に設けた場合でも一定の反射と回折は起こるが、サブコーン３１の内部の凹空間が位相を乱すため、振動面に対する位相改善にはならない。また、図６はサブコーン４１の上端にダストキャップ４２を固定してボイスコイルに結合した従来例である。この場合、上記課題の一部は改善されるが、ダストキャップ４２の発生音とコーン紙の発生音がその距離差で位相干渉を起こし、特定の周波数で大きな音圧ディップを生じるといった課題があった。
【課題を解決するための手段】
【０００５】
上記課題を解決するために本発明のスピーカは、磁気回路に結合されたフレームと、このフレームの外周部に結合されたコーン振動板と、このコーン振動板に結合されるとともに、その一部が前記磁気回路の磁気ギャップに配置されたボイスコイルと、前記ボイスコイルに一端が結合され、他端側の径が結合部より大きい円筒部と、前記円筒部の上端を覆うドーム部とからなり、前記円筒部の中心軸と前記ボイスコイルの中心軸を５°以上傾斜させて構成したものである。
【発明の効果】
【０００６】
本発明のスピーカは、磁気回路に結合されたフレームと、このフレームの外周部に結合されたコーン振動板と、このコーン振動板に結合されるとともに、その一部が前記磁気回路の磁気ギャップに配置されたボイスコイルと、前記ボイスコイルに一端が結合され、他端側の径が結合部より大きい円筒部と、前記円筒部の上端を覆うドーム部とからなり、前記円筒部の中心軸と前記ボイスコイルの中心軸を５°以上傾斜させて構成することで、周波数特性を乱さずに振動板内部の位相差を改善し、高音質化を実現することができる。
【発明を実施するための最良の形態】
【０００７】
本発明の実施の形態について、図１〜図２を用いて説明する。
【０００８】
（実施の形態１）
図１は本発明の請求項１におけるスピーカの断面図である。ここで、１はフレーム、２は磁気回路、３はトッププレート、４はマグネット、５はヨーク、６はボイスコイル、６ａはボイスコイル６の中心軸、７はダンパー、８はコーン振動板、９はボイスコイル６の上端に結合された円筒部、９ａは円筒部９の中心軸、１０は円筒部９の上端を覆うドーム部である。本実施の形態では、コーン振動板８の内周側で発生した音が円筒部９からドーム部１０に沿って反射、回折し、ドーム部１０の周囲に集まってそこが等価の音源位置となる。従って、コーン振動板８の外周部で発生した音と音源位置が近づき位相差が改善される。さらに、従来ダストキャップから発生していた音も、円筒部９を経由してドーム部１０から発生するため音源位置が近く、スピーカの振動面全体に亘って位相を揃えることができる。ここでドーム部１０は、有効な反射、回折のため一定の径が必要であり、本発明が対象とするスピーカでは、ボイスコイル６より大きい。このため円筒部９はボイスコイル６との結合部よりドーム部１０側の径が大きくなる。さらに、円筒部９の中心軸９ａはボイスコイル６の中心軸６ａに対して傾斜している。図６のような従来例では、コーン振動板の内周部が発生した音の一部と、ダストキャップ４２が発生する音がその距離差で干渉して打消し合い、特定周波数において大きな音圧ディップが発生する。本発明のスピーカでは、中心軸９ａの傾きによってコーン振動板８とドーム部１０の距離が円周方向で常に変化するため、干渉が特定周波数に集中せず分散する。この結果、従来例に対して周波数特性を平坦にすることができる。また、中心軸９ａの傾斜が効果を持つには５°以上必要で、円筒部１０がコーン振動板８に接触しない範囲で決定される。なお本実施の形態では、中心軸６ａと角度を持って受聴する場合、円周方向の位置によって特性は変化するが、中心軸９ａの傾斜側を基準として、ほぼ±９０°の受聴範囲で音質改善効果があり、実用上問題はない。また、図１において、ドーム部１０は部分球であるが、完全球に近づけて特性を変化させることも可能である。但し、完全球に近づくとコーン振動板８からの飛出しが大きく、車載などの搭載で注意が必要である。ここで円筒部９とドーム部１０は一体成型が一番単純であるが、製造上の都合から別体として接着結合することもできる。なお、円筒部９とドーム部１０の材質は、抄紙したパルプ、成型した布、樹脂、フィルムおよび金属箔などが使用できる。
【０００９】
（実施の形態２）
本発明の他の実施の形態２を図２により説明する。なお、実施の形態１と同一部分は同一番号を付し、説明を省略する。本実施の形態と実施の形態１との相違点は、円筒部９とドーム部１０に囲まれた空間に吸音材１１を設けたことである。これにより、円筒部９やドーム部１０及びそれらに囲まれた内部空間が発生する共振音を吸収することで、音質を調整できる。図２では、吸音材１１にスポンジ状のものを用いてドーム部１０側に固定しているが、必要に応じて円筒部９側に固定してもよく、内部空間全体を満たしてもよい。また、スポンジ状に代えて繊維状の吸音材とすることもできる。
【００１０】
（実施の形態３）
本実施の形態と実施の形態１または２との相違点は、ドーム部１０と円筒部９及びそれらに含まれる部分の合計質量を、コーン振動板８の有効質量に近づけたことである。これによって、駆動点であるボイスコイル６の内側の質量と外側の質量がバランス状態に近づき、これまでより広い帯域でピストンモーションが可能となって、更なる音質改善につながる。なお、実験によると、前記質量差は４０％以下で音質改善の効果が認められた。
【産業上の利用可能性】
【００１１】
本発明にかかるスピーカは、高音質化が必要な音響機器や自動車等の装置に適用できる。
【図面の簡単な説明】
【００１２】
【図１】本発明の実施の形態１におけるスピーカの断面図
【図２】本発明の実施の形態２におけるスピーカの断面図
【図３】従来例におけるスピーカの断面図
【図４】他の従来例におけるスピーカの断面図
【図５】他の従来例におけるスピーカの断面図
【図６】他の従来例におけるスピーカの断面図
【符号の説明】
【００１３】
１  フレーム
２  磁気回路
３  トッププレート
４  マグネット
５  ヨーク
６  ボイスコイル
６ａ  ボイスコイル６の中心軸
７  ダンパー
８  コーン振動板
９  円筒部
９ａ  円筒部９の中心軸
１０  ドーム部
１１  吸音材
【図１】
0004888282.tif 000002
【図２】
0004888282.tif 000003
【図３】
0004888282.tif 000004
【図４】
0004888282.tif 000005
【図５】
0004888282.tif 000006
【図６】
0004888282.tif 000007